(57)【要約】【課題】小売店での陳列箱としての機能を有する包装箱を提供する。【解決手段】箱本体2と蓋板4とで構成され、蓋板4のフラップが箱本体2に糊付けされている。蓋板4にはジッパー416が形成されている。箱本体2にはカットテープ22が設けられている。ジッパー416を取り去り、また、箱本体2のカットテープ22を取り去ることで２つのハーフ包装箱30を作ることができる。一つのハーフ包装箱30を使って平パウチ6を起立した状態で陳列できる。【選択図】図5
2015160657.tif 000002
【特許請求の範囲】
【請求項１】
底面部と周囲壁とを有し、上方に向けて開口した箱本体と、
該箱本体の開口を覆う蓋本体と、該蓋本体から折り曲げられて前記箱本体の周囲壁に糊付けされる糊付け用フラップとを有する蓋板とを有し、
前記蓋板には、前記糊付け用フラップの端縁から前記蓋本体に亘って連続して延びる弱化線によって形成され且つ蓋板から切り離し可能なジッパーが形成され、
前記箱本体には、該箱本体を２つに分割可能にするために前記周囲壁から前記底面部に亘って連続して延びるカットテープが設けられていることを特徴とする包装箱。
【請求項２】
前記箱本体が直方体の形状を有し、
前記周囲壁が互いに対抗して位置する２つの端面部と、互いに対抗して位置する２つの側面部と、各側面部から延長して延びる箱本体フラップで構成されて、該箱本体フラップを前記端面部に糊付けすることにより前記箱本体が形成され、
前記カットテープが前記箱本体の長手方向に延びている、請求項１に記載の包装箱。
【請求項３】
前記包装箱に収容される商品が比較的扁平な商品であり、
前記包装箱には前記商品が平積みにした状態で収容される、請求項１又は２に記載の包装箱
【請求項４】
前記蓋板が、横並びに配列した複数の前記箱本体を覆う大きさを有し、
該蓋板は、各箱本体に対応する蓋部に切り離し可能である、請求項３に記載の包装箱。
【請求項５】
前記蓋板に設けられたカットテープであって、各箱本体に対応する前記蓋部毎に切り離すことのできるカットテープを更に有する、請求項４に記載の包装箱。
【請求項６】
前記蓋板の前記カットテープに隣接した弱化線を更に有し、
該弱化線は、前記蓋板の一端縁から他端縁まで連続して延びている、請求項５に記載の包装箱。
【請求項７】
前記ジッパーが前記箱本体の幅方向中央から該箱本体の幅方向にオフセットして形成されている、請求項２〜６のいずれか一項に記載の包装箱。
【請求項８】
請求項１〜７のいずれか一項に記載の包装箱と、該包装箱の中に収容された商品との組み合わせであって、
前記商品が、平パウチに収容されたレトルト食品であり、
該平パウチが前記箱本体に平積みされていることを特徴とする包装箱と商品との組み合わせ。
【請求項９】
平積みされた前記平パウチが横２列で前記包装箱に収容されている、請求項８に記載の包装箱と商品との組み合わせ。
【発明の詳細な説明】
【技術分野】
【０００１】
本発明は、包装箱に関し、より詳しくは、物流のための梱包箱と、商品展示のための陳列箱との機能を兼ね備えた包装箱に関し、比較的重たい商品に好適に適用される包装箱に関する。また、本発明は、包装箱と商品との組み合わせに関する。
【背景技術】
【０００２】
特許文献１はブリスターパックの包装箱を開示している。周知のように、ブリスターパックは、比較的堅い板材（台紙）の片面に配列した商品を透明なプラスチックで封止する形式のパッケージである。このブリスターパックは、外から見える状態にしたい商品（例えば薬やフックなどのプラスチック成型品）の包装に使われている。
【０００３】
この包装箱は具体的には直方体形状の段ボール箱である。ブリスターパックは、２つのブリスターパックを一組として、段ボール箱の長手方向に整列した状態で収容される。各組のブリスターパックは、２枚の台紙の間に商品が位置するように配置される。すなわち、直方体形状の段ボールには、その一端側に商品が向いたブリスターパックと、他端側に商品が向いたブリスターパックとが互い違いに並んだ状態で収容されている。
【０００４】
特許文献１は幾つかの実施例を開示している。第１実施例の包装箱は、一枚の段ボール板を折り曲げて糊付けすることにより、上下に離置した天面部、底面部と、２つの互いに対抗した側面部と、２つの互いに対抗した端面部とを備えた直方体の形状を有している。
【０００５】
小売店では包装箱を使って商品を陳列することができる。特許文献１に開示の包装箱は、天面部及び２つの端面部に亘って長手方向に延びる切り取り片（ジッパー）を有し、また、底面部にはその長手方向一端から他端に亘って延びる折り目が形成されている。小売店では、切り取り片を切り取り、次いで、底面部の折り目に沿って底面部を折り曲げることにより内容物であるブリスターパックを露出させる。そして、底面部の折り目に沿って折り曲げて観音開きし、そして折り目を切断することにより第１、第２の２つの展示用の分割箱に切り分ける。第１の分割箱には、その一端側に向けて商品が同じ方向に向いた状態で収容される。第２の分割箱には、その他端側に向けて商品が同じ方向に向いた状態で収容される。
【０００６】
特許文献１は、第３実施例として、箱本体と、これとは別体の蓋板とで包装箱を作ることを提案している。すなわち、箱本体は、底面部と、２つの互いに対抗した側面部と、２つの互いに対抗した端面部とを有し、上方に開放している。蓋板は、その両側部に夫々フラップを有し、この左右のフラップを箱本体の左右の側面部に糊付けすることにより包装箱が形成される。この第３実施例においても、第１実施例の天面部と同様に、蓋板に切り取り片を有し、この切り取り片は、第１実施例と同様に、端面部の下端縁まで連続している。また、底面部には、第１実施例と同様に折り目が形成され、この折り目を切断することにより第１、第２の２つの展示用の分割箱に切り分ける。この第３実施例の包装箱も、上記と同じように、第１の分割箱には、その一端側に向けて商品が同じ方向に向いた状態で収容される。第２の分割箱には、その他端側に向けて商品が同じ方向に向いた状態で収容される。
【先行技術文献】
【特許文献】
【０００７】
【特許文献１】特開２００４−１８２３４５号公報
【発明の概要】
【発明が解決しようとする課題】
【０００８】
特許文献１に開示の包装箱は、物流のための梱包箱としての機能と、小売店での陳列箱としての機能とを有している。この２つの機能を備えた包装箱を比較的重量物に適用する場合、物流のための梱包箱として機能させるのに包装箱が一寸した外力によって損傷しないように、また、輸送や保管の際の強度を確保する必要がある。上述した特許文献１の例で説明すれば、底面部の折り目は、この底面部が内容物の荷重を受ける部分であることから必ずしも好ましいことではない。
【０００９】
また、特許文献１に開示の包装箱は、これを長手方向に沿って切断して２つの展示用の分割箱を作り、この２つの分割箱に収容された商品は、分割箱の一端側又は他端側に向いた状態で陳列される。
【００１０】
本発明の目的は、物流のための梱包箱としての機能と、小売店での陳列箱としての機能とを有する包装箱及び包装箱と商品との組み合わせを提供することにある。
【００１１】
本発明の更なる目的は、比較的重量物を収容したときに輸送や保管の際の強度を確保するのが容易な直方体形状の包装箱であり且つ複数の比較的扁平な商品を平積みした状態で収容でき、そして陳列箱として機能させるときに商品を正面に向けた状態で陳列できる包装箱及び包装箱と商品との組み合わせを提供することにある。
【００１２】
本発明の更なる目的は、比較的重量物の且つ比較的扁平な商品を収容したときに輸送や保管の際の強度を確保しつつ陳列箱としての見栄えを確保することのできる包装箱及び包装箱と商品との組み合わせを提供することにある。
【課題を解決するための手段】
【００１３】
上記の技術的課題は、本発明の一つの観点によれば、
底面部と周囲壁とを有し、上方に向けて開口した箱本体と、
該箱本体の開口を覆う蓋本体と、該蓋本体から折り曲げられて前記箱本体の周囲壁に糊付けされる糊付け用フラップとを有する蓋板とを有し、
前記蓋板には、前記糊付け用フラップの端縁から前記蓋本体に亘って連続して延びる弱化線によって形成され且つ蓋板から切り離し可能なジッパーが形成され、
前記箱本体には、該箱本体を２つに分割可能にするために前記周囲壁から前記底面部に亘って連続して延びるカットテープが設けられていることを特徴とする包装箱を提供することにより達成される。
【００１４】
本発明の他の観点によれば、上記の技術的課題は、
上記の包装箱と、該包装箱の中に収容された商品との組み合わせであって、
前記商品が、平パウチに収容されたレトルト食品であり、
該平パウチが前記箱本体に平積みされていることを特徴とする包装箱と商品との組み合わせを提供することにより達成される。
【００１５】
本発明の好ましい実施形態では、
前記箱本体が直方体の形状を有し、前記周囲壁が互いに対抗して位置する２つの端面部と、互いに対抗して位置する２つの側面部と、各側面部から延長して延びる箱本体フラップで構成されて、該箱本体フラップを前記端面部に糊付けすることにより前記箱本体が形成され、前記カットテープが前記箱本体の長手方向に延びている。
【００１６】
典型的な実施例では、比較的扁平な商品に適用され、前記包装箱には前記商品が平積みにした状態で収容される。
【００１７】
本発明の他の目的、本発明の作用効果は、後に説明する実施例の詳しい説明から明らかになろう。
【図面の簡単な説明】
【００１８】
【図１】実施例の包装箱の斜視図である。
【図２】実施例の箱本体の展開図である。
【図３】実施例の蓋板の展開図である。
【図４】変形例の蓋板の展開図である。
【図５】実施例の包装箱を展示用のハーフ包装箱にする一連の工程を説明するための図である。
【図６】実施例の包装箱を使ってカレールウを収容した平パウチを展示した状態を説明するための図である。
【図７】変形例の包装箱を展示用のハーフ包装箱にする一連の工程を説明するための図である。
【発明を実施するための形態】
【実施例】
【００１９】
以下に、添付の図面に基づいて本発明の好ましい実施例を説明する。
【００２０】
図１は実施例の包装箱１００を示す。包装箱１００は、上方に向けて開放した直方体形状の箱本体２と、蓋板４とで構成されている。箱本体２には、水分を含むレトルト食品を収容した複数の平パウチ６が収容されている。平パウチ６は周知のように、比較的扁平な形状を有し且つ自立性はない。具体的には、平パウチ６には１４０ｇの調理済みのカレーが収容されている。
【００２１】
箱本体２には、横２列で且つ各列に５つの平パウチ６を、その前面を上に向けて且つ平積みした状態で格納されている。そして、実施例の包装箱１００は、３つ横並びの状態の箱本体２を一つの蓋板４で密封した状態で輸送及び保管される。
【００２２】
図２は箱本体２の展開図である。箱本体２は一枚の段ボール板で作られている。参照符号１０は折り線を示す。箱本体２は、折り線１０で囲まれた長方形の底面部１２と、底面部１２の幅方向に互いに対抗して位置する２つの側面部１４と、底面部１２の長手方向に互いに対抗して位置する２つの端面部１６と、側面部１４の長手方向端に位置するフラップ１８とを有している。底面部１２は、箱本体２の底を構成する。側面部１４と端面部１６は、箱本体２の周囲壁を構成する。上記フラップ１８を端面部１６に糊付けすることにより箱本体２が形作られる。フラップ１８は、好ましくは端面部１６の短辺と同じ寸法Ｌ2を有し、また、端面部１６の長辺の約半分の寸法Ｌ1を有する。
【００２３】
図２を引き続き参照して、フラップ１８の寸法Ｌ2の辺は、側面部１４の高さ寸法と実質的に等しい。また、フラップ１８の寸法Ｌ1の辺は、端面部１６の高さ寸法と実質的に等しい。この寸法Ｌ1の辺は、箱本体２を組み立てたときに端面部１６の幅方向に延びる。端面部１６の長手方向長さを拡大した箱本体２を設計するときに、箱本体２の強度を高めるために寸法Ｌ1を長くする設計を行ってもよい。
【００２４】
箱本体２は、また、各側面部１４の側縁に位置する折り片２０を有し、箱本体２に平パウチ６を収容した後に、２つの互いに対抗して位置する２つの折り片２０を内側に折り曲げた状態で蓋板４により施蓋される。
【００２５】
引き続き図２を参照して、底面部１２の幅方向中間部分には、その長手方向にカットテープ２２が添設されている。図中、二点鎖線でカットテープ２２を図示してある。カットテープ２２は端面部１６の外端縁まで延びている。そして、端面部１６の外端縁部における幅方向中間部分には、カットテープ２２の幅とほぼ同じ間隔を隔てて一対の切断線２４が形成され、この一対の切断線２４によってリップ２６が形成されている。このリップ２６を引っ張ることによりカットテープ２２によって箱本体２を半分に切断することができる。
【００２６】
図３は蓋板４の展開図である。蓋板４は一枚の段ボール板で作られている。前述したように、一枚の蓋板４は、横並びに配列した３つの箱本体２の共通の蓋を構成する。図３を参照して、この蓋板４は、左から順に、第１の蓋部４０１、第２の蓋部４０２，第３の蓋部４０３を有し、各蓋部４０１〜４０３は各箱本体２に対応している。
【００２７】
第１の蓋部４０１と第２の蓋部４０２との間及び第２の蓋部４０２と第３の蓋部４０３との間は、ミシン目で構成された弱化線４０４で区画されている。図３の参照符号４０６はカットテープを意味している。このカットテープ４０６は弱化線４０４に隣接して位置決めされている。カットテープ４０６は、弱化線４０４と同様に、蓋板４の一端縁から他端縁まで連続して延びている。このカットテープを使用することにより、各蓋部４０１，４０２，４０３を切り分けることができ、弱化線４０４を備えることで切断縁部を比較的きれいに切り分けることができる。この切断縁部は、後に説明する陳列の際に正面になる部分であり、陳列時の見栄えを確保することができる。
【００２８】
図４は変形例の蓋板８を示す。図４では、上述した蓋板４と同じ要素には同じ参照符号を付してある。変形例の蓋板８は、カットテープ４０６に隣接した弱化線４０４が省かれている。したがって、この変形例の蓋板８においては、カットテープ４０６を引き上げることで、各蓋部４０１，４０２，４０３を切り分けることができる
【００２９】
図３、図４を参照して、各蓋部４０１〜４０３は長方形の形状を有する（図面では上下方向が長手方向）。各蓋部４０１〜４０３は長手方向の中央部分に蓋本体４１０を有する。この蓋本体４１０が箱本体２の開口を覆う部位である。各蓋部４０１〜４０３は、蓋本体４１０を挟んで、その長手方向各端部に糊付け用フラップ４１２を有し、また、この糊付け用フラップ４１２と蓋本体４１０との間に折り目４１４が形成されている。糊付け用フラップ４１２を折り目４１４で折り曲げたときには、各蓋部４０１〜４０３は側面視コ字状の形態になり、糊付け用フラップ４１２は箱本体２の端面部１６と対面した状態になる。この糊付け用フラップ４１２を端面部１６に糊付けすることにより、３つの横並びに配列した箱本体２を蓋板４（８）で蓋をした状態になる。
【００３０】
図３、図４を引き続き参照して、蓋板４（８）には、各蓋部４０１〜４０３に、比較的幅広のジッパー４１６が設けられている。各ジッパー４１６は、互いに平行に延びる２本の切り取り線４１８によって規定されている。各切り取り線４１８はミシン目で構成してもよいし、比較的長いスリットで構成してもよい。これらを総称して「弱化線」と呼ぶ。各切り取り線４１８は各蓋部４０１〜４０３の一端縁から他端縁に亘って長手方向に延びている。
【００３１】
図３から直ちに分かるように、各ジッパー４１６は、各蓋部４０１〜４０３の幅方向において中央線からオフセットして配置されている。これにより各蓋部４０１〜４０３は、その幅方向において、ジッパー４１６を挟んで幅狭部分４２０と幅広部分４２２とを有している。後に説明するが、幅狭部分４２０が展示箱の正面部を構成する。幅広部分４２２は廃棄される。蓋板４の変形例として、ジッパー４１６を各蓋部４０１〜４０３の幅方向中央に配置してもよい。
【００３２】
図５は、一つの蓋部４０１〜４０３によって施蓋された箱本体２から陳列箱を作る一連の工程を説明するための図である。なお、この図５は、各蓋部４０１〜４０３の中央にジッパー４１６を配置した例を図示してある。
【００３３】
図５の(I)は、３連の箱本体２を備えた包装箱１００から切り離した後の一つの箱本体２を示す。この箱本体２は蓋板４から切り離した蓋本体４１０と糊付け用フラップ４１２を有し、糊付け用フラップ４１２は、箱本体２の端面部１６に糊付けされた状態にある。なお、一つの箱本体２の開口だけを覆う蓋体として、上記の例では２つの互いに対抗する糊付け用フラップ４１２が箱本体２の端面部１６に糊付けされているが、変形例として、糊付け用フラップ４１２を箱本体２の側面部１４に糊付けするようにしてもよい。また、糊付け用フラップ４１２を４つ設け、この４つの糊付け用フラップ４１２を端面部１６及び側面部１４に糊付けするようにしてもよい。
【００３４】
図５の(II)は、ジッパー４１６の一端を持ち上げて、ジッパー４１６を取り去る初期段階を示す。図５の(III)はジッパー４１６を取り去った後の状態を示す。蓋本体４１０及び糊付け用フラップ４１２を見ると、この要素４１０，４１２からジッパー４１６の部分が空所になっているのが分かるであろう。
【００３５】
図５の(IV)は、箱本体２のカットテープ２２の部分を引き上げて箱本体２からカットテープ２２を取り去る初期段階を示す。図５の(V)は箱本体２からカットテープ２２を取り去った後の状態を示す。この図５の(V)から箱本体２が、２つのハーフ包装箱３０Ａと３０Ｂに分離された状態にあることが分かるであろう。
【００３６】
図５の(V)では、内容物である平パウチ６（図６）の図示を省いてある。図５の(V)では、下に位置している下側ハーフ包装箱３０Ａが平パウチ６の下部を収容し、上に位置している上側ハーフ包装箱３０Ｂが平パウチ６の上部を収容していると仮定すれば、上側ハーフ包装箱３０Ｂは廃棄対象となる。上側ハーフ包装箱３０Ｂを取り去ることで、平パウチ６は下側ハーフ包装箱３０Ａの周囲壁によって複数の平パウチ６が起立した状態になる。小売店では、この状態で陳列される。商品陳列の状態を図６に示す。
【００３７】
図６から直ちに理解できるように、商品展示の態様では、蓋本体４１０の幅狭部分４２０が正面になり、下側ハーフ包装箱３０Ａに支えられて起立している平パウチ６はその前面（商品名などが印刷されている）が正面となる。
【００３８】
なお、図６に図示のハーフ包装箱３０は、図３に図示した蓋板４（ジッパー４１６がオフセット）を適用した包装箱１００に関連している。蓋板４の幅狭部分４２０が前面に位置し、相対的に高い箱本体２のハーフが後ろ側に位置して平パウチ６を支えているのが分かるであろう。これにより、平パウチ６の前面に印刷された商標などのほぼ全てが見える状態で陳列することができる。
【００３９】
図７は図５の変形例を示す工程図である。図７の(I)は一つの箱本体２を示す。図７の(II)は、ジッパー４１６の一端を持ち上げて、ジッパー４１６を取り去る初期段階を示す。図７の(III)はジッパー４１６を取り去った後の状態を示す。図７の(IV)は、箱本体２のカットテープ２２の部分を引き上げて箱本体２からカットテープ２２を取り去る初期段階を示す。図７の(V)は箱本体２からカットテープ２２を取り去った後の状態を示す。
【００４０】
図７の(VI)は下側ハーフ包装箱３０Ａの長手方向の中間部分を二つ折りして切り離す工程を示す。これにより、第１、第２の２つの小型陳列箱３２Ａ、３２Ｂを作って、各小型陳列箱３２Ａ、３２Ｂを使って、商品を一列の状態で陳列することができる。つまり最小単位の幅の陳列箱３２を使って商品を陳列することができる。これを実現するには、図２の箱本体２の展開図において、底面部１２の長手方向の中間部分にカットテープ２２から下方に延びる弱化線３００を追加すれば良い。
【００４１】
実施例の包装箱１００及びその変形例によれば、水分を含む比較的重い内容物を収容することのできる比較的高い強度を確保し易い構造つまり箱本体２とこれを覆う蓋板４との組み合わせにおいて、物流及び保管のための梱包機能に加えて商品陳列の機能を付加することができる。
【００４２】
また、包装箱１００に平積みした平パウチ６は、包装箱１００を展示用の態様にしたときに、この平パウチ６に何も手を加えないでも、起立した状態で且つ正面を向いた状態で平パウチ６を陳列することができる。
【００４３】
特に、箱本体２を切り分ける構造として、弱化線ではなくてカットテープ２２を採用してあることから、箱本体２の強度を確保するのが容易である。また、箱本体２のフラップ１８の上記寸法Ｌ1、Ｌ2を極力大きな寸法に設定することで箱本体２の強度を高めることができる。
【００４４】
また、ジッパーを規定するためにミシン目などの弱化線を採用することにより、ジッパーを切り取った後の切り取り縁が比較的きれいである。このことから、展示箱の正面部を構成する蓋部（例えば幅狭部分４２０）の切り取り縁がきれいであり、陳列時の見栄えを確保することができる。
【産業上の利用可能性】
【００４５】
本発明の包装箱は、レトルト食品を収容したパウチ、詰め替え用の液体洗剤を収容したパウチなど典型的には液体を含む比較的重い内容物を収容した袋を収容してメーカから小売店まで搬送する物流や商品の保管のために用いられる。本発明の包装箱は、小売店で商品陳列に使うことができる。
【符号の説明】
【００４６】
１００  包装箱
２  箱本体
４  蓋板
６  平パウチ（レトルト食品）
１２  箱本体の底面部
１４  箱本体の側面部
１６  箱本体の端面部
１８  箱本体フラップ
Ｌ１  箱本体フラップの一辺の長さ寸法
Ｌ２  箱本体フラップの他の辺の長さ寸法
２２  カットテープを意味する二点鎖線
４１２  糊付け用フラップ
４１６  ジッパー
【図１】
2015160657.tif 000003
【図２】
2015160657.tif 000004
【図３】
2015160657.tif 000005
【図４】
2015160657.tif 000006
【図５】
2015160657.tif 000007
【図６】
2015160657.tif 000008
【図７】
2015160657.tif 000009